(57)【要約】【課題】パネルの積載、運搬時の効率化を図ったパネル積載ユニット、パネル積載ラック及びパネル積載方法を提供する。【解決手段】パネル積載ラック１は、平積みで積載されたパネル１０を建て起こした状態に切り替えて積載可能である。具体的には、上下方向に間隔を空けて複数重ねられたパネル受け部材３０と、パネル受け部材３０の吊り上げ側とは反対側の一端に取り付けられ、上下方向に複数係合させたパネル建起こし治具４０と、を備えている。パネル積載ラック１では、最上位置のパネル受け部材３０の他端を吊り上げてパネル１０を建て起こすときに、最上位置のパネル建起こし治具４０の下端にある係合溝４６が、下方位置のパネル建起こし治具４０の上端にある係合軸４４に対して所定位置まで回転したときに係合状態から離脱する。【選択図】図１
2015071452.tif 000002
【特許請求の範囲】
【請求項１】
平積みで積載された建築用のパネルを建て起こした状態に切り替えて積載可能なパネル積載ラックを構成するパネル積載ユニットであって、
上下方向に複数重ねたときに前記パネルを収容可能な間隔を空けて互いに着脱可能に設けられ、前記パネルを載置するパネル受け部材と、
該パネル受け部材の一端側に取り付けられ、上下方向に複数重ねたときに互いに着脱可能に設けられ、前記パネル受け部材の他端側を吊り上げて前記パネルを建て起こすときに用いるパネル建起こし治具と、を備え、
該パネル建起こし治具は、上下方向の一端側に形成される係合溝と、他端側に形成され、上下方向に複数重ねたときに前記係合溝と係合し、該係合溝と係合した状態で互いに回転可能な係合軸と、を備え、
前記パネル積載ユニットを上下方向に複数重ねた上で、最上位置の第１パネル受け部材の前記他端側を吊り上げて、該第１パネル受け部材に平積みされる前記パネルを建て起こすときに、
前記第１パネル受け部材に取り付けられる第１パネル建起こし治具の下端側にある前記係合溝及び前記係合軸の一方が、前記第１パネル建起こし治具よりも下方位置の第２パネル建起こし治具の上端側にある前記係合溝及び前記係合軸の他方に対して所定位置まで回転した際に係合状態から離脱することを特徴とするパネル積載ユニット。
【請求項２】
前記係合溝は、前記パネル建起こし治具において上下方向の一端部に設けられ、該一端部から他端部側へ向かって切り欠かれて形成され、
前記係合軸は、前記パネル建起こし治具において上下方向の前記他端部に設けられ、上下方向に複数重ねたときに前記係合溝と対向する位置に形成され、
前記係合溝、及び前記係合軸は、それぞれ前記パネル受け部材において前記一端側と前記他端側とを結ぶ方向と直交する方向に延びていることを特徴とする請求項１に記載のパネル積載ユニット。
【請求項３】
前記第１パネル受け部材の前記他端側を吊り上げて前記パネルを建て起こすときに、
前記第２パネル建起こし治具の上端側にある前記他方が、
前記第１パネル受け部材の吊り上げ回転による向心力を前記第１パネル建起こし治具の下端側にある前記一方から受けるようにして、該一方を支持することを特徴とする請求項１又は２に記載のパネル積載ユニット。
【請求項４】
前記係合溝は、前記パネル建起こし治具の下端部に形成され、
前記係合軸は、前記パネル建起こし治具の上端部に形成されていることを特徴とする請求項１乃至３のいずれか１項に記載のパネル積載ユニット。
【請求項５】
前記係合溝は、
前記パネル建起こし治具の下端部から上端部側へ向かって切り欠かれた第１溝部と、
該第１溝部から連続して形成され、前記パネル受け部材の前記一端側から、吊り上げ側となる前記他端側へ向かう方向に屈曲して切り欠かれた第２溝部と、
該第２溝部から連続して形成され、該第１溝部の切欠き方向に屈曲して切り欠かれた第３溝部と、を備えていることを特徴とする請求項４に記載のパネル積載ユニット。
【請求項６】
前記第２パネル建起こし治具の上端部にある前記係合軸は、
前記第１パネル受け部材に前記パネルが平積みされた状態のときに、前記第１パネル建起こし治具の下端部にある前記係合溝のうち、前記第２溝部と係合し、
平積みされた前記パネルが所定位置まで建て起こされたときに、前記第１パネル建起こし治具の前記係合溝のうち、前記第３溝部と係合し、
前記パネルが所定位置まで建て起こされたときに、前記第１パネル建起こし治具の前記係合溝と係合した状態から離脱することを特徴とする請求項５に記載のパネル積載ユニット。
【請求項７】
前記パネル受け部材は、上下方向に複数重ねて構成され、
前記パネル建起こし治具は、上端側が最上位置の前記第１パネル受け部材に取り付けられると共に、下端側が最下位置の前記パネル受け部材に取り付けられてなることを特徴とする請求項１乃至６のいずれか１項に記載のパネル積載ユニット。
【請求項８】
前記パネル受け部材の他端側に取り付けられ、該パネル受け部材の他端側を吊り上げるために用いるパネル吊り治具を備え、
該パネル吊り治具は、上端側が最上位置の前記第１パネル受け部材に取り付けられると共に、下端側が最下位置の前記パネル受け部材に取り付けられてなることを特徴とする請求項７に記載のパネル積載ユニット。
【請求項９】
請求項１乃至８のいずれか１項に記載のパネル積載ユニットを上下方向に複数重ねて構成されることを特徴とするパネル積載ラック。
【請求項１０】
請求項８に記載のパネル積載ユニットを上下方向に複数重ねて構成されるパネル積載ラックであって、
重ねられた前記複数のパネル積載ユニット同士を連結するユニット連結治具を備え、
該ユニット連結治具は、前記パネルを建て起こした状態のときに、前記複数のパネル吊り治具の上面となる部分にそれぞれ設けられた被嵌合部に各々着脱可能に嵌合する嵌合部を備えていることを特徴とするパネル積載ラック。
【請求項１１】
平積みで積載された建築用のパネルを建て起こした状態に切り替えて積載可能なパネル積載方法であって、
前記パネルを載置するパネル受け部材を上下方向に複数重ねて前記パネルを収容可能な間隔を空けて互いに着脱可能に設置する工程と、
上下方向の一端側に形成される係合溝と、他端側に形成され、上下方向に複数重ねたときに前記係合溝と着脱可能に係合し、該係合溝と係合した状態で互いに回転可能な係合軸と、を備え、前記パネル受け部材の他端側を吊り上げて前記パネルを建て起こすときに用いるパネル建起こし治具を、前記パネル受け部材の一端側に取り付けて、上下方向に複数重ねて設置する工程と、
最上位置の第１パネル受け部材の前記他端側を吊り上げて、該第１パネル受け部材に平積みされる前記パネルを建て起こす工程と、備え、
該パネルを建て起こす工程において、
前記第１パネル受け部材に取り付けられる第１パネル建起こし治具の下端側にある前記係合溝及び前記係合軸の一方が、前記第１パネル建起こし治具よりも下方位置の第２パネル建起こし治具の上端側にある前記係合溝及び前記係合軸の他方に対して所定位置まで回転した際に係合状態から離脱することを特徴とするパネル積載方法。
【発明の詳細な説明】
【技術分野】
【０００１】
本発明は、パネル積載ユニット、パネル積載ラック及びパネル積載方法に係り、特に、平積みで積載された建築用のパネルを建て起こした状態に切り替えて積載可能なパネル積載ラックを構成するパネル積載ユニット、パネル積載ラック及びパネル積載方法に関する。
【背景技術】
【０００２】
従来から、工場にて製造された各種建物に用いられるパネルを建築現場に運搬するために、パネルを積載することが可能な積載ラックが知られている。
パネルの積載、運搬方法について説明すると、まず工場の製造ラインから取り出された直後のパネルは、接着剤等の硬化時間を確保するために積載ラックに平積みした状態で保管される。
【０００３】
その後、中型トラック又は大型トラック等によって運搬される場合には、そのまま積載ラックに平積みした状態でパネルが積み込まれ、建築現場に輸送される。
一方で、建築現場が狭小地であるために中型トラック又は大型トラック等では侵入できない場合や、運搬するパネルの数量が少なく輸送コストの削減を図りたい場合には、小型トラック等によってパネルが運搬されることになる。
小型トラック等によってパネルを運搬される場合には、その荷台が制限されることから、パネルが一度建て起こされて縦積みした状態で積み込まれ、建築現場に輸送される（例えば、特許文献１参照）。
【０００４】
輸送されたパネルは、トラックから再度平積みした状態で積み下ろされ、建築現場に保管される。そして、建築現場に据え付けられたクレーン等によって、パネルの組み付け時に上方部に相当する一端部を一枚ずつ吊り上げて建て起こすように持ち上げられ、建物の所定位置に取り付けられる。
【先行技術文献】
【特許文献】
【０００５】
【特許文献１】特開２０１２−７１９５３号公報
【発明の概要】
【発明が解決しようとする課題】
【０００６】
このとき、特許文献１に記載の壁パネル運搬用ラックのように、パネルを縦積みした状態で運搬する場合には、工場で平積みした状態のパネルを縦積み状態に建て起こしたり、建設現場で縦積み状態のパネルを平積み状態に戻したりする作業が必要となる。
そのため、積載ラックに積載されたパネルの建て起こし作業や、平置き作業を効率よくこなすための技術が望まれていた。また、パネルの建て起こし作業や、平置き作業のときに、パネルの変形及び損傷を防止することが可能な技術が望まれていた。
【０００７】
本発明は、上記の課題に鑑みてなされたものであり、本発明の目的は、各種建物に用いられるパネルの積載、運搬時の効率化を図ったパネル積載ユニット、パネル積載ラック及びパネル積載方法を提供することにある。
また、本発明の他の目的は、パネルの積載、運搬時において、パネルの変形及び損傷を防止することが可能なパネル積載ユニット、パネル積載ラック及びパネル積載方法を提供することにある。
【課題を解決するための手段】
【０００８】
前記課題は、本発明のパネル積載ユニットによれば、平積みで積載された建築用のパネルを建て起こした状態に切り替えて積載可能なパネル積載ラックを構成するパネル積載ユニットであって、上下方向に複数重ねたときに前記パネルを収容可能な間隔を空けて互いに着脱可能に設けられ、前記パネルを載置するパネル受け部材と、該パネル受け部材の一端側に取り付けられ、上下方向に複数重ねたときに互いに着脱可能に設けられ、前記パネル受け部材の他端側を吊り上げて前記パネルを建て起こすときに用いるパネル建起こし治具と、を備え、該パネル建起こし治具は、上下方向の一端側に形成される係合溝と、他端側に形成され、上下方向に複数重ねたときに前記係合溝と係合し、該係合溝と係合した状態で互いに回転可能な係合軸と、を備え、前記パネル積載ユニットを上下方向に複数重ねた上で、最上位置の第１パネル受け部材の前記他端側を吊り上げて、該第１パネル受け部材に平積みされる前記パネルを建て起こすときに、前記第１パネル受け部材に取り付けられる第１パネル建起こし治具の下端側にある前記係合溝及び前記係合軸の一方が、前記第１パネル建起こし治具よりも下方位置の第２パネル建起こし治具の上端側にある前記係合溝及び前記係合軸の他方に対して所定位置まで回転した際に係合状態から離脱すること、により解決される。
【０００９】
上記構成により、最上位置の第１パネル受け部材の他端側を吊り上げて、第１パネル受け部材に平積みされるパネルを建て起こすときに、第１パネル受け部材に取り付けられる第１パネル建起こし治具の下端側にある係合溝及び係合軸の一方が、第１パネル建起こし治具よりも下方位置の第２パネル建起こし治具の上端側にある係合溝及び係合軸の他方に係合した状態で支持される。
さらに、第１パネル受け部材がパネルの建て起こし方向に回転する動作に連動して、第１パネル建起こし治具の下端側にある一方が、第２パネル建起こし治具の上端側にある他方に対して係合した状態で回転することになる。
そして、第１パネル受け部材がパネルを建て起こす所定位置まで回転したときに、第１パネル建起こし治具の下端側にある一方が、第２パネル建起こし治具の上端側にある他方に対して係合状態から離脱することになる。
なお、建て起こし作業の操作と逆の操作をすることで、縦積みされたパネルを平積み状態に戻すこともできる。
従って、トラックでパネルを縦積みした状態で運搬するために、工場で積載ラックに平積みされたパネルを縦積み状態に建て起こしたり、建設現場で積載ラックに縦積みされたパネルを平積み状態に戻したりする作業が格段に効率化する。しかも、パネルが、常にパネル受け部材に支持された状態でパネル建起こし治具によって安定して建て起こされることになるから、パネルの積載、運搬時において、パネルの変形及び損傷も抑制できる。
【００１０】
このとき、前記係合溝は、前記パネル建起こし治具において上下方向の一端部に設けられ、該一端部から他端部側へ向かって切り欠かれて形成され、前記係合軸は、前記パネル建起こし治具において上下方向の前記他端部に設けられ、上下方向に複数重ねたときに前記係合溝と対向する位置に形成され、前記係合溝、及び前記係合軸は、それぞれ前記パネル受け部材において前記一端側と前記他端側とを結ぶ方向と直交する方向に延びていると良い。
上記のように、第１パネル受け部材がパネルの建て起こし方向に回転するときに、第１パネル建起こし治具の下端側にある係合溝及び係合軸の一方が回転の中心軸となって、第２パネル建起こし治具の上端側にある係合溝及び係合軸の他方によって支持される構成において、係合溝及び係合軸がそれぞれ中心軸の延出方向に延びているため、パネルの建て起こし時に係合溝と係合軸とが互いに支持し合う面積を増やすことができ、パネルを安定して建て起こすことができる。
【００１１】
このとき、前記第１パネル受け部材の前記他端側を吊り上げて前記パネルを建て起こすときに、前記第２パネル建起こし治具の上端側にある前記他方が、前記第１パネル受け部材の吊り上げ回転による向心力を前記第１パネル建起こし治具の下端側にある前記一方から受けるようにして、該一方を支持すると良い。
上記構成により、パネル建起こし治具によって、パネルを一層安定して建て起こすことができる。
【００１２】
このとき、前記係合溝は、前記パネル建起こし治具の下端部に形成され、前記係合軸は、前記パネル建起こし治具の上端部に形成されていると良い。
また、前記係合溝は、前記パネル建起こし治具の下端部から上端部側へ向かって切り欠かれた第１溝部と、該第１溝部から連続して形成され、前記パネル受け部材の前記一端側から、吊り上げ側となる前記他端側へ向かう方向に屈曲して切り欠かれた第２溝部と、該第２溝部から連続して形成され、該第１溝部の切欠き方向に屈曲して切り欠かれた第３溝部と、を備えていると良い。
また、前記第２パネル建起こし治具の上端部にある前記係合軸は、前記第１パネル受け部材に前記パネルが平積みされた状態のときに、前記第１パネル建起こし治具の下端部にある前記係合溝のうち、前記第２溝部と係合し、平積みされた前記パネルが所定位置まで建て起こされたときに、前記第１パネル建起こし治具の前記係合溝のうち、前記第３溝部と係合し、前記パネルが所定位置まで建て起こされたときに、前記第１パネル建起こし治具の前記係合溝と係合した状態から離脱すると良い。
上記構成により、第１パネル受け部材の吊り上げ回転方向に対応させて、第１パネル建起こし治具の下端側にある係合溝が、第２パネル建起こし治具の上端側にある係合軸と係合する位置を変化させながら係合状態を維持することができるため、パネルを一層安定して建て起こすことができる。
【００１３】
このとき、前記パネル受け部材は、上下方向に複数重ねて構成され、前記パネル建起こし治具は、上端側が最上位置の前記第１パネル受け部材に取り付けられると共に、下端側が最下位置の前記パネル受け部材に取り付けられてなると良い。
上記構成により、例えば、パネル受け部材を上下方向に２つ重ねて、パネル建起こし治具を最上位置のパネル受け部材と、最下位置のパネル受け部材とに取り付けて構成するパネル積載ユニットが完成し、１度のパネル建て起こし作業で２枚のパネルを建て起こすことができるようになり、１枚ずつパネルを建て起こすよりも作業効率が向上する。
【００１４】
このとき、前記パネル受け部材の他端側に取り付けられ、該パネル受け部材の他端側を吊り上げるために用いるパネル吊り治具を備え、該パネル吊り治具は、上端側が最上位置の前記第１パネル受け部材に取り付けられると共に、下端側が最下位置の前記パネル受け部材に取り付けられてなると良い。
上記構成により、パネル受け部材の他端側を吊り上げてパネルを建て起こす作業の効率が一層向上する。
【００１５】
このとき、上記パネル積載ユニットを上下方向に複数重ねて構成されるパネルの積載ラックを実現することもできる。
また、上記パネル積載ユニットを上下方向に複数重ねて構成されるパネル積載ラックであって、重ねられた前記複数のパネル積載ユニット同士を連結するユニット連結治具を備え、該ユニット連結治具は、前記パネルを建て起こした状態のときに、前記複数のパネル吊り治具の上面となる部分にそれぞれ設けられた被嵌合部に各々着脱可能に嵌合する嵌合部を備えたパネル積載ラックを実現することもできる。
上記のように、パネルを建て起こした状態でパネル積載ラックを運搬するときに、パネル積載ユニット同士が連結されることによって、運搬作業が安定すると共に、パネルの変形、損傷を防止できる。
そして、複数のパネル積載ユニットの構成要素となるパネル吊り治具の被嵌合部に、ユニット連結治具の嵌合部をそれぞれ差し込み嵌合させるシンプルな構成となるため、例えば、ボルト締結する従来の場合と比較して作業効率が飛躍的に向上する。
特に、パネル積載ラックを建て起こした状態で作業するときには、通常、作業者は脚立を利用して行うことから、構成部品同士の組み付け作業が単純になることで作業効率が格段に上がる。
【００１６】
また、平積みで積載された建築用のパネルを建て起こした状態に切り替えて積載可能なパネル積載方法であって、前記パネルを載置するパネル受け部材を上下方向に複数重ねて前記パネルを収容可能な間隔を空けて互いに着脱可能に設置する工程と、上下方向の一端側に形成される係合溝と、他端側に形成され、上下方向に複数重ねたときに前記係合溝と着脱可能に係合し、該係合溝と係合した状態で互いに回転可能な係合軸と、を備え、前記パネル受け部材の他端側を吊り上げて前記パネルを建て起こすときに用いるパネル建起こし治具を、前記パネル受け部材の一端側に取り付けて、上下方向に複数重ねて設置する工程と、最上位置の第１パネル受け部材の前記他端側を吊り上げて、該第１パネル受け部材に平積みされる前記パネルを建て起こす工程と、備え、該パネルを建て起こす工程において、前記第１パネル受け部材に取り付けられる第１パネル建起こし治具の下端側にある前記係合溝及び前記係合軸の一方が、前記第１パネル建起こし治具よりも下方位置の第２パネル建起こし治具の上端側にある前記係合溝及び前記係合軸の他方に対して所定位置まで回転した際に係合状態から離脱するパネル積載方法を実現することもできる。
【発明の効果】
【００１７】
本発明のパネル積載ユニット、パネル積載ラック及びパネル積載方法によれば、各種建物に用いられるパネルの積載、運搬時の効率化を図ったパネル積載ユニット、パネル積載ラック及びパネル積載方法を提供することができる。
また、パネルの積載、運搬時において、パネルの変形及び損傷を防止することが可能なパネル積載ユニット、パネル積載ラック及びパネル積載方法を提供することができる。
【図面の簡単な説明】
【００１８】
【図１】本発明に係るパネル積載ラックを示す概略斜視図である。
【図２】パネル積載ラックのパネル受け部材を示す分解斜視図である。
【図３】パネル積載ラックのパネル建起こし治具を示す斜視図である。
【図４】パネル受け部材とパネル建起こし治具との分解説明図である。
【図５】パネル積載ラックの他端部を吊り上げた状態を示す正面図である。
【図６】パネル積載ラックを用いたパネル積載方法を示す工程図である。
【図７】パネル建起こし治具の側面図であって、図７（ａ）は、パネルが平積みされているときを説明する図であり、図７（ｂ）はパネルが第１所定位置まで建て起こされたときを説明する図である。
【図８】パネル建起こし治具の側面図であって、図８（ａ）は、パネルが第２所定位置まで建て起こされたときを説明する図であり、図８（ｂ）はパネルの建て起こしが完了したときを説明する図である。
【図９】パネル積載ラックを縦置きした状態を説明する正面図である。
【図１０】パネル建起こし治具の側面図であって、図９（ａ）は、パネルの縦置き作業を説明する図であり、図９（ｂ）はパネルの縦置き作業が完了したときを説明する図である。
【図１１】図３のパネル建起こし治具の第２実施例を示す斜視図である。
【図１２】パネル積載ラックの第２実施例として、パネル吊り治具を示す分解斜視図である。
【図１３】パネル吊り治具を用いてパネル積載ラックの他端部を吊り上げた状態を示す正面図である。
【図１４】縦置きした状態のパネル積載ラックと、ユニット連結治具との分解説明図である。
【図１５】ユニット連結治具を示す分解斜視図である。
【発明を実施するための形態】
【００１９】
以下、本発明の実施形態に係るパネル積載ラックについて、図１〜図１１を参照しながら説明する。
本実施形態は、平積みで積載されたパネルを建て起こした状態に切り替えて積載可能なパネル積載ラックであって、上下方向に間隔を空けて複数重ねられたパネル受け部材と、パネル受け部材の吊り上げ側とは反対側の一端に取り付けられ、上下方向に複数係合させたパネル建起こし治具と、を備え、最上位置のパネル受け部材の他端を吊り上げてパネルを建て起こすときに、最上位置のパネル建起こし治具の下端にある係合溝が、下方位置のパネル建起こし治具の上端にある係合軸に対して所定位置まで回転したときに係合状態から離脱することを特徴とするパネル積載ラックの発明に関するものである。
【００２０】
本実施形態に係るパネル積載ラック１は、各種建物に用いられる建築用のパネル１０を複数積載することが可能なラックであって、例えば、工場や建築現場でパネル１０を平積みした状態で保管したり、工場と建築現場の間でパネル１０を運搬するときにパネル１０を縦積みした状態でトラックの荷台に載せたりするために用いられる。
パネル積載ラック１は、図１に示すようにパネル１０を平積みした状態で積載することや、図１に示す設置位置から図５に示すようにクレーン等で吊り上げて、図９に示すように略９０度建て起こした設置位置に切り替えることで、平積みされたパネル１０を縦積み状態で積載することが可能である。
【００２１】
パネル積載ラック１は、図１に示すように、パネル積載ラック１の下端部であって、四隅に配置される基台部材２０と、基台部材２０上に上下方向に複数重ねて立設され、パネル積載ラック１の短尺方向において二隅にある基台部材２０を連結するように配置されるパネル受け部材３０と、パネル受け部材３０の長尺方向の外側面に取付けられ、上下方向に複数重ねて設置されるパネル建起こし治具４０と、から主に構成されており、パネル受け部材３０の上面にパネル１０を載置可能な構成となっている。
また、パネル積載ラック１では、パネル受け部材３０がパネル積載ラック１の長尺方向に所定の間隔を空けて一対に設置されており、パネル建起こし治具４０も同様に所定の間隔を空けて一対に設置されている。
【００２２】
パネル１０は、例えば、建物の外壁を構成する矩形状のパネル部材であって、図１に示すように、矩形状のパネルフレーム１１と、パネルフレーム１１に固定された矩形状の外装面材１２と、から主に構成されている。
パネルフレーム１１は、断面略コ字形状の長尺な鋼材を矩形状に枠組みすることにより形成されている。枠組みされたパネルフレーム１１によって囲まれる空間内には、グラスウールや発泡ウレタン等からなる不図示の断熱材が充填されている。
外装面材１２は、セラミック系の外壁材や耐水合板等から形成されている。
【００２３】
パネルフレーム１１の外側面のうち、外装面材１２と反対側の面であって、パネル受け部材３０と対向する部分には、不図示のボルト穴が複数形成されている。
パネル１０は、これらボルト穴に嵌め込まれる不図示の両ネジボルトを介してパネル受け部材３０に取り付け可能な構成となっている。
なお、パネル１０の短尺方向の外側面の所定位置には、パネル１０を吊り上げる際に用いられる不図示のパネル用吊り具が２本取り付けられている。パネル用吊り具は、ワイヤーロープ等の懸吊部材を取り付け可能な環状形状となっている。
【００２４】
基台部材２０は、積載ラック１の土台となる部材であって、角形鋼管や板状鋼材等を組み合わせて形成されており、パネル受け部材３０やパネル建起こし治具４０を下方から支持するものである。
基台部材２０は、図１に示すように、パネル積載ラック１の下端部の四隅に設けられ、断面略ロ字形状からなる基台本体部２１と、基台本体部２１上面に接合して設けられ、パネル積載ラック１の長尺方向において二隅にある基台本体部２１を連結するように配置され、断面略ロ字形状の長尺体からなる基台連結部２２と、四隅にある基台本体部２１上面にそれぞれ接合して設けられ、基台連結部２２に隣接して配置される係合部２３と、から主に構成されている。
【００２５】
基台連結部２２は、パネル積載ラック１の短尺方向において所定の間隔を空けて２つ設置されており、基台連結部２２の長尺方向の両端部上面には、パネル受け部材３０の下端部と嵌合させるための不図示の嵌合穴がそれぞれ形成されており、基台連結部２２の上方からパネル受け部材３０を取り付けることができる。
係合部２３は、各基台本体部２１上に所定の間隔を空けて立設され、略平板形状からなる一対の軸支持部２３ａと、一対の軸支持部２３ａの上端部に貫通して嵌め込まれ、パネル積載ラック１の長尺方向に延びる略円柱形状の係合軸２３ｂとから主に構成されている。
係合部２３の係合軸２３ｂは、パネル建起こし治具４０の下端部に形成される係合溝４６と係合されており、係合部２３の上方からパネル建起こし治具４０を取り付けることができる。
【００２６】
パネル受け部材３０は、パネル１０を取り付け可能に載置する部材であって、角形鋼管やリップ溝形鋼等を組み合わせて略Ｈ字形状に形成されており、パネル１０を収容可能な間隔を空けて上下方向に複数重ねて互いに着脱可能に設置されている。
パネル受け部材３０には、図２に示すように、互いに形状の異なるパネル受け部材３０ａとパネル受け部材３０ｂとがあり、上下方向に２つのパネル受け部材３０ａが重ねられ、さらに上方に１つのパネル受け部材３０ｂが重ねられて１ユニットとして構成される。
【００２７】
パネル受け部材３０ａは、断面略ロ字形状からなる長尺なパネル受け部３１と、パネル受け部３１の長尺方向の両端部にそれぞれ溶接され、パネル受け部３１に対して垂直に延出し、断面略ロ字形状からなる分割支柱部３２と、から主に構成されている。
パネル受け部３１は、その上面に長尺方向に所定の間隔を空けて複数形成されたボルト穴３１ａを備えており、不図示の両ネジボルトを介してパネル１０を取り外し可能に載置することが可能な部分である。
【００２８】
分割支柱部３２は、パネル受け部材３０を上下方向に複数重ねたときに全体としてパネル積載ラック１の支柱部となる部分であって、基台部材２０上に立設されている。
分割支柱部３２の上端部分には、一部が内部に嵌めこまれて設けられ、上方に延出する断面略コ字形状の嵌合凸部３２ａが接合されている。
一方で、分割支柱部３２の下端部分は、上下方向に重ねたときに嵌合凸部３２ａと着脱可能に嵌合する嵌合凹部３２ｂとなっている。
また、嵌合凹部３２ｂは、基台部材２０上面の不図示の嵌合穴に対しても着脱可能に挿嵌される形状となっている。
従って、パネル受け部材３０ａは、基台部材２０上に着脱可能に立設されると共に、上下方向に複数重ねて着脱可能に設置されている。
【００２９】
パネル受け部材３０ｂは、上述のパネル受け部３１と、パネル受け部３１の長尺方向の両端部にそれぞれ溶接され、パネル受け部３１に対して垂直に延出し、断面略ロ字形状からなる分割支柱部３３と、から主に構成されており、パネル受け部材３０ａの分割支柱部３２と形状がやや異なっている。
分割支柱部３３の上端部分には、嵌合凸部３３ａが接合されており、嵌合凸部３３ａは、略平板状の鋼材を平置きした上で、その上面に所定の間隔を空けて２つの突起部分を上方に向けて延出するように接合した構成となっている。
一方で、分割支柱部３３の下端部分は、上下方向に重ねたときに嵌合凸部３３ａと着脱可能に嵌合する嵌合凹部３３ｂとなっている。
パネル受け部材３０ｂは、上下方向に複数重ねたときにパネル受け部材３０ａ及びパネル受け部材３０ｂと着脱可能に嵌合可能な構成となっている。
【００３０】
上記構成によって、図２に示すように、上下方向に重ねられた２つのパネル受け部材３０ａの上方に、さらに１つのパネル受け部材３０ｂを嵌合させることができる。
このとき、パネル受け部材３０ａの嵌合凸部３２ａのほうが、パネル受け部材３０ｂの嵌合凸部３３ａよりも嵌合部分が大きくなるように調整されている。
従って、上下方向に重ねたときに、上方がパネル受け部材３０ａ、下方がパネル受け部材３０ｂとなる組み合わせは、パネル受け部材３０ａ同士の組み合わせと比較して、上下方向又は左右方向に離脱し易い形状となる。
【００３１】
パネル受け部材３０の長尺方向の両端部において、その外側面にはそれぞれボルト穴３４が形成されており、図１に示すように、一端側には両ネジボルトを介してつなぎ部材３５と、パネル建起こし治具４０とが順に取り付けられている。
また、パネル受け部材３０の吊り上げ側となる他端側には、両ネジボルトを介してつなぎ部材３５のみが取り付けられている。
【００３２】
つなぎ部材３５は、図１に示すように、パネル積載ラック１の長尺方向において所定間隔を空けて設置された２つのパネル受け部材３０を連結する部材である。
つなぎ部材３５は、略平板形状の長尺体からなり、その長尺方向の両端部にそれぞれ不図示のボルト穴が形成されており、両ネジボルトを締結することでパネル受け部材３０と連結される。
また、不図示のボルト穴よりも両端部側には、パネル受け部材３０を吊り上げる際に用いられる不図示の吊り上げ穴がそれぞれ形成されている。ワイヤーロープ等の懸吊部材を吊り上げ用穴に挿し込むことで、つなぎ部材３５と一体となったパネル受け部材３０をクレーン等で吊り上げることができる。
【００３３】
パネル建起こし治具４０は、パネル受け部材３０の長尺方向の他端部を吊り上げてパネル１０を建て起こすときに用いる部材であって、角形鋼管やリップ溝形鋼、及び板状鋼材等を組み合わせて形成されており、上下方向に複数重ねたときに互いに着脱可能に設置されている。
【００３４】
パネル建起こし治具４０は、図３に示すように、断面略ロ字形状からなる上下方向に長尺な治具本体部４１と、治具本体部４１の上端部に溶接された係合部４２と、治具本体部４１の下端部に溶接され、上下方向に複数重ねたときに係合部４２と係合し、係合部４２と係合した状態で互いに回転可能な被係合部４５と、から主に構成されている。
【００３５】
治具本体部４１は、パネル受け部材３０に取り付けられる側の内側面が、相対する外側面よりもやや上下方向に延出するような略台形形状となっている。
治具本体部４１には、外側面側からパネル受け部材３０側に向かって貫通し、上端部、略中央部及び下端部にそれぞれ配置されたボルト穴４１ａ、４１ｂ、４１ｃが形成されている。そして、図４に示すように、ボルト穴４１ａ、４１ｂ、４１ｃにそれぞれ両ネジボルトを嵌め込むことで、パネル受け部材３０にパネル建起こし治具４０が取り付けられる。
詳しく説明すると、上下方向に３つ重ねられたパネル受け部材３０のボルト穴３４それぞれに対して、パネル建起こし治具４０のボルト穴４１ａ、４１ｂ、４１ｃがそれぞれ対応するように連通することで、３つのパネル受け部材３０に対して１つのパネル建起こし治具４０が取り付けられることになる。
【００３６】
係合部４２は、上下方向に長尺な部材であって、治具本体部４１よりも上方に延出している。
係合部４２は、治具本体部４１の上端部分の外側面に接合して設けられ、パネル受け部材３０への取り付け方向と直交する方向に間隔を空けて一対に配置され、上方に延出する略平板形状の軸支持部４３と、一対の軸支持部４３の上端部に貫通して嵌め込まれる係合軸４４と、から主に構成されている。
係合軸４４は、略円柱形状からなり、パネル受け部材３０への取り付け方向と直交方向に延びている。
なお、一対の軸支持部４３の外側面には、係合軸４４の軸方向外側にそれぞれ突出し、上下方向に延びているフランジ部分が形成されており、係合部４２の剛性を高めている。
【００３７】
被係合部４５は、断面略コ字形状からなる上下方向に長尺な部材であって、一部が治具本体部４１の内部に嵌めこまれて設けられ、治具本体部４１よりも下方に延出している。
被係合部４５の下端部分には、治具本体部４１側へ向かって切り欠かれた係合溝４６が形成されている。
なお、被係合部４５は、パネル受け部材３０への取り付け方向と直交方向に締結ボルトを締結することで治具本体部４１と強固に固定されている。
また、被係合部４５は、パネル受け部材３０側の面と反対側に開口部分を備えた略コ字形状体からなり、治具本体部４１を介してパネル受け部材３０と両ネジボルトによって強固に固定されている。
【００３８】
係合溝４６は、係合軸４４よりも幅広に形成された溝部分からなる。
係合溝４６は、その下端部分から上端部側へ向かって切り欠かれた第１溝部４６ａと、第１溝部４６ａから連続して形成され、パネル受け部材３０側へ向かう方向に屈曲して切り欠かれた第２溝部４６ｂと、第２溝部４６ｂから連続して形成され、第１溝部４６ａの切欠き方向に屈曲して切り欠かれた第３溝部４６ｃと、から主に構成されている。
また、係合溝４６は、全体として係合軸４４の延出方向となる軸方向に延びるように切り欠かれており、パネル建起こし治具４０を上下方向に複数重ねたときに係合軸４４と対向する位置に形成され、係合軸４４と着脱可能に係合する。
【００３９】
第１溝部４６ａは、図３又は図４に示すように、係合溝４６の下端部分から上端側へ向かうと共に、パネル受け部材３０側へ傾斜するように切り欠かれている。第１溝部４６ａの水平面に対する傾斜角度は、例えば、約４５度程度になると良い。
第２溝部４６ｂは、第１溝部４６ａから連続して屈曲し、パネル受け部材３０の長尺方向と略平行となるように延びて切り欠かれている。
第３溝部４６ｃは、第２溝部４６ｂから連続して屈曲し、上端部側へ向かうと共に、パネル受け部材３０側へ傾斜するように切り欠かれている。第３溝部４６ｃの水平面に対する傾斜角度は、例えば、約４５度程度になると良い。
係合溝４６を構成する第１溝部４６ａ、第２溝部４６ｂ、及び第３溝部４６ｃは、それぞれ係合軸４４と着脱可能に係合し、さらに、係合軸４４が、係合した状態でこれら溝部間を移動可能な構成となっている。
【００４０】
上記構成において、図４に示すように、上下方向に重ねられた３つのパネル受け部材３０と、これらパネル受け部材３０の外側面に取り付けられた１つのパネル建起こし治具４０とで１ユニットのパネル積載ユニットが完成することになる。
図４には、２ユニットのパネル積載ユニットが図示されている。
【００４１】
上記構成において、パネル積載ラック１では、図５に示すように、最上位置のパネル受け部材３０の吊り上げ側となる他端部をクレーン等で吊り上げて、このパネル受け部材３０に平積みされるパネル１０を建て起こすときに、最上位置のパネル建起こし治具４０の下端にある係合溝４６が、下方位置のパネル建起こし治具４０の上端にある係合軸４４に対して所定位置まで回転した際に係合状態から離脱可能な構成となっている。
そのため、平積みされたパネル１０をパネル受け部材３０と共に建て起こして縦置きする作業が、パネル建起こし治具４０を用いることで安定化かつ効率化する。
逆に言えば、縦置きされたパネル１０をパネル受け部材３０と共に建て起こして平置きする作業も、パネル建起こし治具４０によって安定化かつ効率化する。
詳細は後述する。
【００４２】
＜パネル積載ラックを用いたパネル積載方法＞
次に、パネル積載ラック１を用いて、平積みで積載されたパネル１０を建て起こした状態に切り替えて縦積みで積載可能なパネル積載方法について、図６〜図１０に基づいて説明する。
図６は、パネル積載ラック１を用いたパネル積載方法を示す作業工程図である。
【００４３】
パネル積載ラック１を用いたパネル積載方法では、最初に、パネル受け部材３０を上下方向に複数重ねてパネル１０を収容可能な間隔を空けて互いに着脱可能に設置する作業工程（ＳＴ０１）から始まる。
詳細に説明すると、図１に示すように、まず、パネル１０の長尺方向の長さ程度の間隔を空けてパネル受け部材３０を一対に設置する。そして、一対のパネル受け部材３０上にそれぞれ別のパネル受け部材３０を積み上げるように重ねて設置する。
パネル積載ラック１では、合計９つのパネル受け部材３０を上下方向に重ねる。また、３つのパネル受け部材３０を１ユニットとして構成し、下から順に２つのパネル受け部材３０ａ、１つのパネル受け部材３０ｂを重ねて合計３ユニットとする。
【００４４】
さらに詳細に説明すると、所定の間隔を空けて配置する一対のパネル受け部材３０を同じ高さとなるように設置する毎に、設置直後の一対のパネル受け部材３０上に１枚のパネル１０を載置する。
パネル積載ラック１では、図１に示すように、上下方向において計６つのパネル受け部材３０ａ上に１枚ずつ計６枚のパネル１０を載置し、計３つのパネル受け部材３０ｂ上にはパネル１０を載置しない構成とする。
【００４５】
なお、基台部材２０を予め設置しておき、基台部材２０上にパネル受け部材３０を設置することでパネル積載ラック１が安定するが、基台部材２０を必ずしも設置しなくて良い。
また、一対のパネル受け部材３０を所定の間隔を空けて設置し、その後、これら一対のパネル受け部材３０を連結するようにつなぎ部材３５を設置することでパネル積載ラック１が安定するが、つなぎ部材３５を必ずしも設置しなくても良い。
【００４６】
次に、パネル建起こし治具４０をパネル受け部材３０の一端側に取り付けて、上下方向に複数重ねて設置する工程（ＳＴ０２）に進む。
詳細に説明すると、図５に示すように、まず、パネル受け部材３０の長尺方向において吊り上げ側とは反対側の外側面に両ネジボルトを介してパネル建起こし治具４０を取り付ける。
パネル積載ラック１では、上下方向において３つのパネル受け部材３０に対して１つのパネル建起こし治具４０を取り付ける。
具体的には、パネル建起こし治具４０の上端部にあるボルト穴４１ａに両ネジボルトを嵌合させて上方位置のパネル受け部材３０に固定する。同様にして、略中央部にあるボルト穴４１ｂに別の両ネジボルトを嵌合させて中央位置のパネル受け部材３０に固定する。同様にして、下端部にあるボルト穴４１ｃに別の両ネジボルトを嵌合させて下方位置のパネル受け部材３０に固定する。
【００４７】
また、パネル積載ラック１では、パネル建起こし治具４０を上下方向に３つ重ねて設置する。
具体的には、下方位置のパネル建起こし治具４０上端にある係合軸４４に対して、上方位置のパネル建起こし治具４０下端にある係合溝４６を係合させて設置する。
係合軸４４と係合溝４６の係合位置を詳細に説明すると、図７（ａ）に示すように、パネル積載ラック１にパネル１０を平積みで積載するときには、係合軸４４が係合溝４６のうち、第２溝部４６ｂと係合する構成となる。
上記構成により、係合軸４４の上端部分と下端部分とが、係合溝４６の第２溝部４６ｂと当接可能な係合位置となり、パネル１０が平積み状態のときに最も安定する位置となる。
【００４８】
最後に、最上位置のパネル受け部材３０の長尺方向の他端部を吊り上げて、このパネル受け部材３０に平積みされるパネル１０を建て起こす工程（ＳＴ０３）に進む。
【００４９】
詳細に説明すると、図５に示すように、まず、最上位置のパネル受け部材３０の他端部をクレーン等で吊り上げて、このパネル受け部材３０に平積みされるパネル１０を図７（ｂ）に示す第１所定位置まで建て起こす（ＳＴ０３−１）。
このとき、最上位置のパネル受け部材３０がパネル１０の建て起こし方向に回転する動作に連動して、最上位置のパネル建起こし治具４０の下端にある係合溝４６が、下方位置のパネル建起こし治具４０の上端にある係合軸４４に対して係合した状態で回転する。
そして、パネル１０を第１所定位置まで建て起こすと、最上位置のパネル建起こし治具４０が、下方位置のパネル建起こし治具４０に対して、その係合溝４６とその係合軸４４との係合位置を変えるように回転する。
具体的には、最上位置のパネル建起こし治具４０が回転することで、係合溝４６の第２溝部４６ｂと、係合軸４４とが係合する位置から、係合溝４６の第３溝部４６ｃと、係合軸４４とが係合する位置に切り替わる。
【００５０】
上記構成により、係合軸４４の上端部分と両側方部分とが、係合溝４６の第３溝部４６ｃと当接可能な係合位置となり、パネル１０を第１所定位置まで建て起こすときに最も安定する位置となる。
なお、第１所定位置とは、パネル１０を平積み状態から約４５度程度建て起こす位置に相当する。
【００５１】
ステップＳＴ０３−１で、平積みされるパネル１０を第１所定位置まで建て起こした後、パネル受け部材３０の他端部を連続してさらに吊り上げて、パネル１０を図８（ａ）に示す第２所定位置まで建て起こす（ＳＴ０３−２）。
このとき、最上位置のパネル受け部材３０がパネル１０の建て起こし方向に回転する動作に連動して、最上位置のパネル建起こし治具４０の係合溝４６が、下方位置のパネル建起こし治具４０の係合軸４４に対して係合した状態で回転する。
そして、パネル１０を第２所定位置まで建て起こすと、最上位置のパネル建起こし治具４０が、下方位置のパネル建起こし治具４０に対して係合位置を変えるように回転する。
具体的には、最上位置のパネル建起こし治具４０が回転することで、係合溝４６の第３溝部４６ｃと、係合軸４４とが係合する位置から、係合溝４６の第１溝部４６ａと、係合軸４４とが係合する位置に切り替わる。
【００５２】
上記構成により、係合軸４４の上端側の略傾斜部分と、下端側の略傾斜部分とが、係合溝４６の第１溝部４６ａと当接可能な係合位置となり、パネル１０を第２所定位置まで建て起こすときに最も安定する位置となる。
なお、第２所定位置とは、パネル１０を平積み状態から約６０度〜８０度程度建て起こす位置に相当する。
【００５３】
ステップＳＴ０３−２で、平積みされるパネル１０を第２所定位置まで建て起こした後、パネル受け部材３０の他端部を連続してさらに吊り上げて、パネル１０を図８（ｂ）に示す第３所定位置まで建て起こす（ＳＴ０３−３）。
このとき、最上位置のパネル受け部材３０がパネル１０の建て起こし方向に吊り上がりながら回転する動作に連動して、最上位置のパネル建起こし治具４０の係合溝４６が、下方位置のパネル建起こし治具４０の係合軸４４に対して係合状態から離脱する。
なお、第３所定位置とは、パネル１０を平積み状態から約９０度程度建て起こす位置に相当する。
【００５４】
ステップＳＴ０３−３で、パネル１０を第３所定位置まで建て起こした後、吊り上げたパネル受け部材３０をパネル１０と共に、所定位置に縦置きで設置する（ＳＴ０３−４）。
このとき、既に別のパネル受け部材３０が縦置きで設置されている場合には、図９に示すように、既に縦置き済みのパネル受け部材３０に対して、新たに縦置きされるパネル受け部材３０を連結させて設置する。
詳細に説明すると、図１０（ａ）に示すように、既に縦置き済みのパネル受け部材３０に取り付けられたパネル建起こし治具４０の係合軸４４に対して、新たに縦置きされるパネル受け部材に取り付けられたパネル建起こし治具４０の係合溝４６を係合させる。
具体的には、係合軸４４に対して、係合溝４６を水平面に対して約４５度程度の上方傾斜方向から近づけて係合させる。
パネル受け部材３０同士が縦置き状態で連結するとき、図１０（ｂ）に示すように、係合軸４４と、係合溝４６の第２溝部４６ｂとが係合する位置となる。
【００５５】
上記ステップＳＴ０１〜ステップＳＴ０３を繰り返すことで、パネル積載ラック１を用いて、平積みで積載された複数のパネル１０を建て起こした状態に切り替えて縦積みで積載することが出来るようになる。
また、ステップＳＴ０３−１〜ステップＳＴ０３−４のパネル建て起こし作業の工程を応用することで、逆に、縦置きされたパネル１０をパネル受け部材３０と共に建て起こして平置きすることが出来るようになる。
【００５６】
上記パネル積載方法の作業工程のうち、パネル受け部材３０の設置工程（ＳＴ０１）及びパネル建起こし治具４０の設置工程（ＳＴ０２）においては、パネル積載ラック１を構成するパネル受け部材３０を全て設置した後で、パネル建起こし治具４０を設置する工程としても良いし、または、パネル積載ユニットとして構成する３つのパネル受け部材３０を設置した後で、１つのパネル建起こし治具４０を設置し、順次これを繰り返してパネル積載ラック１を完成させる工程としても良い。
【００５７】
＜パネル建起こし治具の第２実施形態＞
次に、パネル建起こし治具４０の第２実施例について、図１１に基づいて説明する。
なお、以下の説明において、特徴の差異を明確にするため、上記実施例に係るパネル建起こし治具４０と重複する内容については説明を省略する。
【００５８】
第２実施例に係るパネル建起こし治具１４０は、パネル建起こし治具４０と比較して、係合部４２及び被係合部４５の形状をシンプルにしたことに特徴を有する。
パネル建起こし治具１４０は、図１１に示すように、治具本体部１４１と、治具本体部１４１の下端部に溶接された係合部１４２と、治具本体部１４１の上端部に溶接され、上下方向に複数重ねたときに係合部１４２と係合し、係合部１４２と係合した状態で互いに回転可能な被係合部１４５と、から主に構成されている。
【００５９】
係合部１４２は、治具本体部１４１の下端部分の内側面に接合して設けられ、パネル受け部材３０への取り付け方向と直交する方向に間隔を空けて一対に配置され、上方に延出する略平板形状の軸支持部１４３と、一対の軸支持部１４３の上端部に貫通して嵌め込まれる係合軸１４４と、から主に構成されている。
係合軸１４４は、略円柱形状からなり、パネル受け部材３０への取り付け方向と直交方向に延びている。
【００６０】
被係合部１４５は、治具本体部１４１の上面に平置きされた略平板状の支台部１４７と、支台部１４７上に立設され、パネル受け部材３０への取り付け方向と直交する方向に間隔を空けて一対に配置され、上方に延出する略平板形状の軸支持部１４８と、から主に構成されている。
一対の軸支持部１４８の上端部分には、治具本体部１４１側へ向かって切り欠かれた係合溝１４６が形成されている。
係合溝１４６は、係合軸１４４よりも幅広に形成された略半円形状の溝部分からなる。
【００６１】
上記構成において、上下方向に重ねられた３つのパネル受け部材３０と、これらパネル受け部材３０の外側面に取り付けられた１つのパネル建起こし治具１４０とで１ユニットのパネル積載ユニットが完成することになる。
【００６２】
＜パネル積載ラックの第２実施形態＞
次に、パネル積載ラック１の第２実施例について、図１２〜図１５に基づいて説明する。
第２実施例に係るパネル積載ラック１は、図１２、図１３に示すように、パネル受け部材３０の長尺方向の外側面においてパネル建起こし治具４０とは反対側の面に取り付けられ、上下方向に複数連ねて設置されるパネル吊り治具５０と、図１４に示すように、パネル積載ラック１を建て起こした状態のときに、複数のパネル吊り治具５０の上面に取り付けられるユニット連結治具６０と、を備えていることに特徴を有する。
【００６３】
パネル吊り治具５０は、パネル受け部材３０の長尺方向の他端部を吊り上げるために用いる部材であって、溝形鋼や板状鋼材等を組み合わせて形成されている。
パネル吊り治具５０は、図１２に示すように、長尺な筐体形状からなる治具本体部５１と、治具本体部５１の上下方向の中央部分に溶接され、パネル受け部材３０側とは反対側に張り出すように設けられた嵌合凸部５４と、から主に構成されている。
なお、嵌合凸部５４は、特許請求の範囲においてパネル吊り治具の被嵌合部に相当する。
【００６４】
治具本体部５１には、外側面側からパネル受け部材３０側に向かって貫通するボルト穴５１ａ、５１ｂ、５１ｃが、それぞれ上端部分、中央部分及び下端部分に形成されている。そして、ボルト穴５１ａ、５１ｂ、５１ｃにそれぞれ両ネジボルトを嵌め込むことで、パネル受け部材３０にパネル吊り治具５０が取り付けられる。
詳しく説明すると、パネル吊り治具５０のボルト穴５１ａ、５１ｂ、５１ｃが、上下方向に３つ重ねられたパネル受け部材３０の各ボルト穴３４に対応するように連通することで、１つのパネル吊り治具５０が３つのパネル受け部材３０に対してボルト締結されることになる。
なお、治具本体部５１の上壁部５２と底壁部５３には、それぞれ上下方向に貫通したボルト穴５２ａ、５３ａが形成されている。
【００６５】
嵌合凸部５４は、略半楕円形状の板状体からなり、ユニット連結治具６０の嵌合穴部６２に着脱可能に嵌合する部分である。
嵌合凸部５４には、治具本体部５１から張り出した先端部分に形成され、嵌合凸部５４の厚み方向に貫通した略円形状の吊り上げ穴５４ａと、治具本体部５１に溶接された末端部分に形成され、嵌合凸部５４の厚み方向に切り欠かれた略矩形状の切欠き５４ｂと、が設けられている。
吊り上げ穴５４ａは、図１３に示すように、ワイヤーロープ等の懸吊部材をシャックルを介して挿し込むための穴であって、切り欠き５４ｂは、図１２に示すように、両ネジボルトをボルト穴５１ｂに挿通させるための逃げ部分として形成されている。
なお、嵌合凸部５４は、治具本体部５１の中央部分に設けられた２つの補強壁部に挟まれるように溶接されており、嵌合凸部５４の剛性が高められている。
【００６６】
上記パネル吊り治具５０を備えることで、図１２及び図１３に示すように、上下方向に重ねられた３つのパネル受け部材３０を１ユニットのパネル積載ユニットとして連結させることができ、このパネル積載ユニットを１ユニット毎にクレーン等で吊り上げることができるようになる。
【００６７】
ユニット連結治具６０は、図１４に示すように、パネル積載ラック１を建て起こした状態のときに、パネル積載ラック１を構成する３つのパネル積載ユニット同士を上面部分で連結する部材であって、溝形鋼やＬ型鋼、及び板状鋼材等を組み合わせて形成されている。
詳しく言うと、ユニット連結治具６０は、３つのパネル吊り治具５０を上方から覆うように設けられ、パネル吊り治具５０同士を連結する部材である。
ユニット連結治具６０は、図１５に示すように、長尺な筐体形状からなる治具本体部６１と、治具本体部６１の長尺方向の両端部にそれぞれ溶接され、外側に張り出した略Ｌ字形状の連結部６３と、から主に構成されている。
また、治具本体部６１には、上面外側からパネル吊り治具５０側に向かって貫通する略矩形状の嵌合穴部６２が、治具本体部６１の長尺方向に所定の間隔を空けて３つ形成されている。
【００６８】
嵌合穴部６２は、特許請求の範囲においてユニット連結治具６０の嵌合部に相当する部分であって、パネル吊り治具５０の３つの嵌合凸部５４に対向する位置にそれぞれ配置されている。詳しく言うと、嵌合穴部６２は、その長尺方向の幅及び短尺方向の厚みが、それぞれ嵌合凸部５４の幅及び厚みよりもやや幅広となるように形成されている。
【００６９】
連結部６３には、治具本体部６１から張り出した先端部分に形成され、治具本体部６１の長尺方向に貫通した略円形状のボルト穴６３ａが設けられている。
そして、各ボルト穴６３ａにそれぞれ両ネジボルトを嵌め込むことで、パネル吊り治具５０にユニット連結治具６０を補強として取り付けることができる。
詳しく説明すると、ユニット連結治具６０の各ボルト穴６３ａが、パネル吊り治具５０のボルト穴５２ａ、５３ａに対応するように連通することで、１つのユニット連結治具６０が３つのパネル吊り治具５０を覆うようにしてボルト締結されることになる。
なお、連結部６３は、治具本体部６１の長尺方向の外側面に張り出すように設けられた一対の補強壁部によって補強されており、連結部６３の剛性が高められている。
【００７０】
上記ユニット連結治具６０を備えることで、図１４及び図１５に示すように、建て起こされたパネル積載ラック１を構成する３つのパネル積載ユニット同士の上方部分を差し込み嵌合によって容易に連結させることができるようになる。
さらに言うと、３つのパネル積載ユニット同士は、それら上方部分がユニット連結治具６０によって連結されると共に、それら下方部分がパネル建起こし治具４０によって連結されるため、パネル１０の運搬作業が安定するだけでなく、組み付け作業も飛躍的に向上する。
【００７１】
＜その他の実施形態＞
上記実施形態のパネル積載ラック１は、基台部材２０と、パネル受け部材３０と、つなぎ部材３５と、パネル建起こし治具４０と、から主に構成されているが、これに限定されることなく、必ずしも基台部材２０及びつなぎ部材３５を備えていなくても良い。
特に、パネル積載ラック１は、フォークリフト等を用いてトラック等の運搬車両に積み込み可能とするために、パネル受け部材３０よりも剛性の高い基台部材２０を備え、フォークリフト等で基台部材２０の底面を支持して持ち上げられる構成からなっているが、パネル積載ラック１全体をクレーン等で吊り上げてトラック等に積み込む場合には、基台部材２０を不要の構成にしても良い。
また、パネル積載ラック１を構成するパネル受け部材３０及びパネル建て起こし治具４０の本数と、パネル受け部材３０に載置されるパネル１０の枚数は、それぞれ適宜変更して良い。
【００７２】
上記実施形態では、パネル受け部材３０には、互いに形状の異なるパネル受け部材３０ａとパネル受け部材３０ｂとの２種類があったが、これに限定されることなく、パネル受け部材３０の種類を１種類としても良いし、複数種類用意しても勿論良い。
また、上下方向に重ねられた３つのパネル受け部材３０と、これらパネル受け部材３０の外側面に取り付けられた１つのパネル建起こし治具４０とで、１ユニットのパネル積載ユニットが完成したが、これに限定されることなく、例えば、１つのパネル受け部材３０と、１つのパネル建て起こし治具４０とで、１ユニットのパネル積載ユニットを完成させても勿論良い。
【００７３】
上記実施形態のパネル建起こし治具４０は、上端部に係合軸４４を備え、下端部に係合溝４６を備えた構成からなるが、これに限定されることなく、上端部に係合溝４６を備え、下端部に係合軸４４を備えた構成としても良い。
【００７４】
上記実施形態では、図１５に示すように、パネル吊り治具５０の嵌合凸部５４と、ユニット連結治具６０の嵌合穴部６２とが嵌合する構成としているが、これに限定されることなく、逆にパネル吊り治具５０側が嵌合穴部を備え、ユニット連結治具６０側が嵌合凸部を備えた構成としても良い。
また、パネル吊り治具５０とユニット連結治具６０とが互いに着脱可能に嵌合する構成とすれば良く、嵌合穴部を嵌合凹部にする等適宜変更しても良い。
【００７５】
上記実施形態では、パネル吊り治具５０のボルト穴５２ａ、５３ａと、ユニット連結治具６０のボルト穴６３ａとが連通して両ネジボルトが補強用として締結されているが、これに限定されることなく、補強用のボルト締結を不要な構成としても良い。
このように構成されることで、パネル吊り治具５０にユニット連結治具６０を差し込み嵌合させるのみのシンプルな構成となるため、作業効率が飛躍的に向上する。
【００７６】
上記実施形態では、パネル積載ラック１に積載されるパネル１０として、外壁パネルを採用したが、これに限定されることなく、屋根パネル、ドアパネル等のように、建築物に用いられる幅、長さ、及び厚みの異なる各種パネル１０をパネル積載ラック１に自由な配置で積載することも可能である。
【００７７】
上記実施形態では、主として本発明に係るパネル積載ユニット、パネル積載ラック及びパネル積載方法に関して説明した。
ただし、上記の実施形態は、本発明の理解を容易にするための一例に過ぎず、本発明を限定するものではない。本発明は、その趣旨を逸脱することなく、変更、改良され得ると共に、本発明にはその等価物が含まれることは勿論である。
特に、パネル受け部材３０、パネル建起こし治具４０、パネル吊り治具５０、ユニット連結治具６０の形状、配置又は構成について、上記の実施形態にて説明したものは、あくまで一例に過ぎず、本発明を限定するものではない。
【符号の説明】
【００７８】
１  パネル積載ラック
１０  パネル
１１  パネルフレーム
１２  外装面材
２０  基台部材
２１  基台本体部
２２  基台連結部
２３  係合部
２３ａ  軸支持部
２３ｂ  係合軸
３０  パネル受け部材
３０ａ、３０ｂ  パネル受け部材
３１  パネル受け部
３１ａ  ボルト穴
３２、３３  分割支柱部
３２ａ、３３ａ  嵌合凸部
３２ｂ、３３ｂ  嵌合凹部
３４  ボルト穴
３５  つなぎ部材
４０、１４０  パネル建起こし治具
４１、１４１  治具本体部
４１ａ、４１ｂ、４１ｃ  ボルト穴
４２、１４２  係合部
４３、１４３  軸支持部
４４、１４４  係合軸
４５、１４５  被係合部
４６、１４６  係合溝
４６ａ  第１溝部
４６ｂ  第２溝部
４６ｃ  第３溝部
５０  パネル吊り治具
５１  治具本体部
５１ａ、５１ｂ、５１ｃ  ボルト穴
５２  上壁部
５２ａ、５３ａ  ボルト穴
５３  底壁部
５４  嵌合凸部
５４ａ  吊り上げ穴
５４ｂ  切欠き
６０  ユニット連結治具
６１  治具本体部
６２  嵌合穴部
６３  連結部
６３ａ  ボルト穴
１４７  支台部
１４８  軸支持部
【図１】
2015071452.tif 000003
【図２】
2015071452.tif 000004
【図３】
2015071452.tif 000005
【図４】
2015071452.tif 000006
【図５】
2015071452.tif 000007
【図６】
2015071452.tif 000008
【図７】
2015071452.tif 000009
【図８】
2015071452.tif 000010
【図９】
2015071452.tif 000011
【図１０】
2015071452.tif 000012
【図１１】
2015071452.tif 000013
【図１２】
2015071452.tif 000014
【図１３】
2015071452.tif 000015
【図１４】
2015071452.tif 000016
【図１５】
2015071452.tif 000017